(57)【要約】  実質的に患者の体を囲む領域の温度に影響を及ぼさずに、手術の間患者の身体の一様な中心温度を上昇又は維持する赤外線放射加熱システムが、患者の全身又は身体の１つ若しくは複数の部分に放射熱を提供するため、使用の際患者の近くの目立たない位置に配置される赤外線放射加熱手段と、使用の際上記患者の体の皮膚温が、実質的に患者の体を囲む領域の温度に影響を及ぼすことなく所定の範囲内で上昇又は維持され、結果として一様な中心体温を生じさせるよう、患者の体における放射熱の強度レベル及び強度分布を制御する加熱手段と通信する制御手段とを有する。
2010504134.tif 000002
【特許請求の範囲】
【請求項１】
実質的に患者の体を囲む領域の温度に影響を及ぼさずに、手術の間前記患者の体の一様な中心温度を上昇又は維持する赤外線放射加熱システムであって、
前記患者の全身又は身体の１つ又は複数の部分に放射熱を提供するため、使用の際前記患者の近くの目立たない位置に配置される赤外線放射加熱手段と、
使用の際患者の体の皮膚温が、患者の体を囲む領域の温度に実質的に影響を及ぼすことなく所定の範囲内で上昇又は維持され、結果として一様な中心体温を生じさせるよう、前記患者の体上の放射熱の強度レベル及び強度分布を制御するため前記加熱手段と通信する制御手段とを有する、赤外線放射加熱システム。
【請求項２】
前記赤外線加熱手段が、手術が実行されることになる手術室の照明システムに組み込まれる赤外光照射デバイスのピクセル化されたアレイを更に有する、請求項１に記載のシステム。
【請求項３】
前記赤外光照射デバイスが、発光ダイオードを有する、請求項２に記載のシステム。
【請求項４】
前記制御手段が、前記患者の体の複数の位置で皮膚温を感知するよう適合される温度感知手段を更に有し、前記温度感知手段により、前記所定の範囲内で前記患者の皮膚温を上昇又は維持するため前記加熱手段の放射熱強度レベル及び分布を前記制御手段が制御することがもたらされる、請求項１に記載のシステム。
【請求項５】
前記赤外線加熱手段が、手術の間前記患者により着用される外科衣類に埋め込まれ、前記制御手段は、前記衣類に埋め込まれ、前記患者の体の複数の位置で皮膚温を感知するよう適合される温度感知手段を更に有し、前記温度感知手段により、前記所定の範囲内で患者の皮膚温を上昇又は維持するため前記加熱手段の放射熱強度レベル及び分布を前記制御手段が制御することがもたらされる、請求項１に記載のシステム。
【請求項６】
前記赤外線加熱手段が、手術の間前記患者により着用される外科衣類に取り外し可能に付けられ、前記制御手段は、前記衣類に取り外し可能に付けられ、前記患者の体の複数の位置で皮膚温を感知するよう適合される温度感知手段を更に有し、前記温度感知手段により、前記所定の範囲内で患者の皮膚温を上昇又は維持するため前記加熱手段の放射熱強度レベル及び分布を前記制御手段が制御することがもたらされる、請求項１に記載のシステム。
【請求項７】
前記所定の皮膚温度範囲が、約３７〜４１℃であり、前記中心温度は、約３７．５℃である、請求項１に記載のシステム。
【請求項８】
赤外線放射加熱システムを用いて、患者の体を囲む領域の温度に実質的に影響を及ぼさずに、手術の間前記患者の体の一様な中心温度を上昇又は維持する方法において、
前記患者の全身又は身体の１つ若しくは複数の部分に放射熱を提供するため、使用の際前記患者の近くの目立たない位置に配置される赤外線放射加熱手段と、使用の際前記患者の皮膚温が、患者の体を囲む領域の温度に実質的に影響を及ぼすことなく所定の範囲内で上昇又は維持され、結果として一様な中心体温を生じさせるよう、前記患者の全身上の放射熱の強度レベル及び強度分布を制御するため前記加熱手段と通信する制御手段とを有する、前記システムを提供するステップと、
目立たない態様で前記患者の近くに加熱手段を配置するステップと、
前記患者の体を囲む領域の温度に実質的に影響を及ぼさずに、前記患者の皮膚温が所定の範囲内で上昇又は維持されるよう、前記加熱手段を制御するステップとを有する、方法。
【請求項９】
前記赤外線加熱手段が、手術が実行されることになる手術室の照明システムに組み込まれる赤外光照射デバイスのピクセル化されたアレイを更に有する、請求項８に記載の方法。
【請求項１０】
前記赤外光照射しているデバイスが、発光ダイオードを有する、請求項９に記載の方法。
【請求項１１】
前記制御手段が、前記患者の体の複数の位置で皮膚温を感知するよう適合される温度感知手段を更に有し、前記温度感知手段により、前記所定の範囲内で前記患者の皮膚温を上昇又は維持するため前記加熱手段の放射熱強度レベル及び分布を前記制御手段が制御することがもたらされる、請求項８に記載の方法。
【請求項１２】
前記赤外線加熱手段が、手術の間前記患者により着用される外科衣類に埋め込まれ、前記制御手段は、前記衣類に埋め込まれ、かつ前記患者の体の複数の位置で皮膚温を感知するよう適合される温度感知手段を更に有し、前記温度感知手段により、前記所定の範囲内で前記患者の皮膚温を上昇又は維持するため前記加熱手段の放射熱強度レベル及び分布を前記制御手段が制御することがもたらされる、請求項８に記載の方法。
【請求項１３】
前記赤外線加熱手段が、手術の間前記患者により着用される外科衣類に取り外し可能に付けられ、前記制御手段は、前記衣類に取り外し可能に付けられ、かつ前記患者の体の複数の位置で皮膚温を感知するよう適合される温度感知手段を更に有し、前記温度感知手段により、前記所定の範囲内で前記患者の全身の皮膚温を上昇又は維持するため前記加熱手段の放射熱強度レベル及び分布を前記制御手段が制御することがもたらされる、請求項８に記載の方法。
【請求項１４】
前記所定の皮膚温度範囲が、約３７〜４１℃であり、前記中心温度は、約３７．５℃である、請求項８に記載の方法。
【発明の詳細な説明】
【技術分野】
【０００１】
本開示は、実質的に患者の体の周囲の領域の温度に影響を及ぼさずに、手術の間患者の身体の温度を上げるか又は一様な温度を維持する、赤外線放射加熱システムに関する。
【背景技術】
【０００２】
手術（それは、概して数時間持続する可能性がある）の間の手術室では、温度は普通、外科医にとって都合のよいレベルである、通常摂氏２０度近くにセットされる。いくつかの理由から、この温度は、患者にとってあまりに低く、従って望ましくない。まず、手術の間、手術される部位の患者の身体内部は開いて、露出する。それによって、大気への体熱の損失を引き起こして、結果として患者の体温が低下する。第２には、患者は、厚手の衣服で覆われるわけではない。なぜなら、こうすると、医師がうまく外科的手順を行うことと干渉するからである。この場合も、結果として手術の間患者を冷却してしまうことになる。
【発明の概要】
【発明が解決しようとする課題】
【０００３】
手術の間患者を暖かく保つために、過去にさまざまな方法が採用されてきた。例えば、手術台上のマットレスを加熱することは、患者が一面だけ加熱される欠点を持つ。更に、患者は、手術の間長時間マットレスに横たわる場合があり、結果として圧点を生じさせ、これは、加熱と合わさって患者にけがを負わせる原因になりうる。患者を暖める別の方法は、加熱毛布の使用を含む。ここでも、この毛布は、体の一面だけを加熱して、手術を実行するにはあまり便利でない。別の方法は、患者に温風を送ることを含む。この欠点は、手術の間手術室における殺菌空気を乱す可能性があるということである。いくつかの手術では、患者の周囲をより殺菌するために、殺菌された空気が上から吹き降ろされる。温風の送風は、これを邪魔する。さらに別の方法は、遮熱材の使用を含む。遮熱材は、大きく、かつ用いるのに便利でない。
【０００４】
更に、手術の間に患者を暖めるのに用いるさまざまな加熱装置が提案されてきた。その幾つかは対流加熱器である。しかしながら、斯かる装置は、それらのかさ高性、手術を実行する手術チームの能力との干渉又は患者の全身を一様に加熱することができないことのため、非効率的であるか又は効果的でなかった。
【課題を解決するための手段】
【０００５】
これらの及び他のニーズは、本開示の赤外線放射加熱システム及び使用方法により満たされる。
【０００６】
本開示によれば、実質的に患者の体を囲む領域の温度に影響を及ぼさずに、手術の間患者の身体の一様な中心温度を上げるか又は維持する赤外線放射加熱システムが開示される。
【０００７】
具体的には、本発明の目的は、実質的に患者の体を囲む領域の温度に影響を及ぼさずに、手術の間患者の身体の一様な中心温度を上げるか又は維持する赤外線放射加熱システムを提供することである。上記システムは、
患者の全身又は身体の１つ若しくは複数の部分に放射熱を提供するため、使用の際、患者の近くの目立たない位置に配置される赤外線放射加熱手段と、
使用の際、患者の体の中心温度が所定の範囲内で上がるか又は維持され、結果として実質的に患者の体を囲む領域の温度に影響を及ぼさずに、一様な中心体温を生じさせるよう、患者の体上の放射熱の強度レベル及び強度の分布を制御する加熱手段と通信する、制御手段とを有する。
【０００８】
別の目的は、上記赤外線加熱手段が、手術が実行されることになる手術室の照明システムに組み込まれる赤外光照射デバイスのピクセル化されたアレイを更に有するシステムを提供することである。
【０００９】
別の目的は、赤外光照射デバイスが発光ダイオードを有するシステムを提供することである。
【００１０】
別の目的は、上記制御手段が、患者の体の複数の位置で皮膚温を感知するよう適合される温度感知手段を更に有するシステムを提供することである。これにより上記制御手段が、所定の範囲内で患者の体の皮膚温を上昇又は維持するため、加熱手段の放射熱強度レベル及び分布を制御することがもたらされる。
【００１１】
別の目的は、赤外線加熱手段が手術の間に患者により着用される外科衣類に埋め込まれ、上記制御手段が、衣類に埋め込まれ、患者の体の複数の位置で皮膚温を感知するよう適合される温度感知手段を更に有するシステムを提供することである。これにより、制御手段が、所定の範囲の中で患者の体の皮膚温を上昇又は維持するため、加熱手段の放射熱強度レベル及び分布を制御することがもたらされる。
【００１２】
別の目的は、赤外線加熱手段が手術の間に患者により着用される外科衣類に取り外し可能に付けられ、制御手段が、衣類において取り外し可能に付けられ、患者の体の複数の位置で皮膚温を感知するよう適合される温度感知手段を更に有するシステムを提供することである。これにより、制御手段が、所定の範囲内で患者の体の皮膚温を上昇又は維持するため、加熱手段の放射熱強度レベル及び分布を制御することがもたらされる。
【００１３】
別の目的は、所定の皮膚温度範囲が約３７℃から４１℃であり、中心温度が約３７．５℃であるシステムを提供することである。
【００１４】
別の目的は、赤外線放射加熱システムを用いて、実質的に患者の体を囲む領域の温度に影響を及ぼさずに、手術の間に患者の身体の一様な中心温度を上昇又は維持する方法を提供することであり、この方法は、
【００１５】
患者の全身又は身体の１つ若しくは複数の部分に放射熱を提供するため、使用の際、患者の近くの目立たない位置に配置される赤外線放射加熱手段と、使用の際、患者の体の皮膚温が、実質的に患者の体を囲む領域の温度に影響を及ぼさずに、所定の範囲内で上昇又は維持され、結果として一様な中心的な体温を生じさせるように、患者の全身における放射熱の強度の強度レベル及び分布を制御する加熱手段と通信する制御手段とを有するシステムを提供するステップと、
【００１６】
患者の近くで目立たない態様で上記加熱手段を位置決めするステップと、
【００１７】
実質的に患者の体を囲む領域の温度に影響を及ぼすことなく、患者の体の皮膚温が所定の範囲内で上昇又は維持されるよう、上記加熱手段を制御するステップとを有する。
【００１８】
別の目的は、上記赤外線加熱手段が、手術が実行されることになる手術室の照明システムに組み込まれる赤外光照射デバイスのピクセル化されたアレイを更に有する、方法を提供することである。
【００１９】
別の目的は、赤外光照射デバイスが発光ダイオードを有する、方法を提供することである。
【００２０】
別の目的は、制御手段が、患者の体の複数の位置で皮膚温を感知するよう適合される温度感知手段を更に有し、これにより、上記制御手段が、所定の範囲内で患者の全身の皮膚温を上昇又は維持するため、加熱手段の放射熱強度レベル及び分布を制御することがもたらされる、方法を提供することである。
【００２１】
別の目的は、赤外線加熱手段が手術の間に患者により着用される外科衣類に埋め込まれ、制御手段が、衣類に埋め込まれ、かつ患者の体の複数の位置で皮膚温を感知するよう適合される温度感知手段を更に有し、これにより、上記制御手段が、所定の範囲内で患者の全身の皮膚温を上昇又は維持する加熱手段の放射熱強度レベル及び分布を制御することがもたらされる、方法を提供することである。
【００２２】
別の目的は、赤外線加熱手段が手術の間に患者により着用される外科衣類に取り外し可能に取り付けられ、制御手段が、衣類に取り外し可能に取り付けられ、かつ患者の体の複数の位置で皮膚温を感知するよう適合される温度感知手段を更に有し、これにより、上記制御手段が、所定の範囲内で患者の全身の皮膚温を上昇又は維持するため、加熱手段の放射熱強度レベル及び分布を制御することがもたらされる、方法を提供することである。
【００２３】
別の目的は、所定の皮膚温度範囲が約３７℃から４１℃であり、中心温度が約３７．５℃である、方法を提供することである。
【図面の簡単な説明】
【００２４】
【図１】二重層１ｘ３あや織を備える単一のカラーＬＥＤに対する、例示的な単列形マトリクスの横糸軸に沿って、図式的断面表示を示す図である。
【図２】二重層３ｘ３あや織を備える単一のカラーＬＥＤに対する、例示的な複列形マトリクスの横糸軸に沿って、図式的断面表示を示す図である。
【図３】中心面において、フロートを含む二重層３ｘ５あや織を備える単一のカラーＬＥＤに対する、例示的な複列形マトリクスの横糸軸に沿って、図式的断面表示を示す図である。
【図４】手術台より上に配置される赤外光源の独立にアドレス指定可能なアレイを表す本発明の実施形態を示す図である。
【発明を実施するための形態】
【００２５】
本発明におけるこれら及び他の側面が、以下の実施形態を参照して更に詳細に説明される。図１〜３は、本書において全体が参照により含まれる、２００５年５月３１日に出願のヨーロッパの特許出願第０５１０４７０３．３号から複製される。
【００２６】
本発明において、我々は、患者の身体だけが放射／照射されるよう設計される、赤外線（ＩＲ）放射光照射デバイスを用いることを提案する。赤外光照明によって、患者をより一様に加熱することがもたらされる。更に、加熱はより効率的である。なぜなら、赤外光が皮膚においてより深く浸透し、結果として、対流による加熱よりも緩やかな温度プロフィールを皮膚において生じさせ、これにより、一様な中心体温（最適には約３７．５℃）を生じさせるからである。ＩＲ放射線が患者の領域にうまく限定されて吸収されるので、患者の周りの領域はほぼ影響を受けないままである（それゆえに、手術チームが、放射線に苦しむことはない）。
【００２７】
例えば、一実施形態において、ＩＲ放射加熱手段／光源は、手術室の照明システムに組み込まれる。強度において調整されることができる複数のＩＲ光源を用いて、うまく規定された照明領域が、この領域内の強度分布と共に規定されることができる。このようにして、患者は、一様に加熱されることができる。好ましくは、ＩＲ加熱手段は、各ＬＥＤが最高約５００ミリワットの熱エネルギー出力を持つような、ピクセル化されたアレイ、例えば、ピクセル化されたＬＥＤ配列体の形式である。ＬＥＤは電球より効率的であり、正確な光のスペクトルを生み出す。より詳細には、赤外線ＬＥＤは、本書における発明において、実質的に非可視赤外光だけを生み出す。照明システムは通常は、患者の体が横たわる手術台より上の、固定された天井位置にある。代替的に、天井位置に対して、他の赤外光源が使用されることができる。例えば、ピクセル化された配光を生み出すため分離して制御されることができるハロゲンランプのアレイが使用されることができる。
【００２８】
ＩＲ放射線の強度レベル及び強度分布は、手動で制御されることができるか又はフィードバックループにより制御されることができる。後者の場合、さまざまな態様が想像されることができる。例えば、患者の温度は、患者の体の皮膚上のさまざまな部位に位置する熱又は温度センサにより測定される。この情報は、所定の範囲内で患者の体の一様な皮膚温を上昇又は維持するため患者の体の上における適切なＩＲ強度レベル及び強度分布を提供するよう、ＩＲ放射加熱手段を順に制御する制御手段に通信されて処理される。
【００２９】
代替的に、患者の温度を測定するため、ＩＲカメラが用いられることが可能である。この場合も、ＩＲ放射加熱手段から生じるＩＲ輻射光の放射線強度レベル及び分布を制御する際に、制御手段はこの情報を処理することになる。
【００３０】
例えば、図４に示されるように、赤外光源１１０〜１１５からなる赤外光源１００のアレイは、それぞれ光分布２１０〜２１５を生み出す。分離して及び独立的に赤外光源のオン／オフを切り替えることにより、手術台２００に照射されるアレイが調整されることができる。例えば、カメラといった付加的な検出システムが、患者及び外科医の位置を検出する。患者が照射され、外科医は照射されないよう、光分布が調整される。更に、患者の中心温度が、例えば約３７．５℃で実質的に一定のままであるよう、患者の皮膚及び／又は中心温度を測定して、それに従って赤外光強度を調整する、例えばＰＩＤ温度調節器といった追加的な制御ループが使用される。
【００３１】
例えば、別の実施形態では、患者が手術の間に着用する衣類物質にＩＲ放射加熱手段／光源を組み込むことにより、患者の体の一様なＩＲ照射が可能である。その衣類は、ＩＲ放射加熱手段から放たれる照明強度レベル及び分布を制御する制御手段と通信する温度／熱センサを具備できる。光源は、赤外光発光ダイオード（ＬＥＤ）とすることができる。ＬＥＤに対する編み電極アレイの例が、２００５年５月３１日に出願され、タイトルが「A Fully Textile Electrode Lay-out Allowing Passive and Active Matrix Addressing」であるヨーロッパ特許（ＥＰ）出願の第05104703.3号、及び、２００６年５月３０日に出願された対応する国際特許出願番号PCT/IB2006/051716号により完全に記載されている。この両方は、それらの全部について本書において参照により含まれる。
【００３２】
ＥＰ出願第05104703.3号によれば、ある実施形態において、斯かる衣類は、多層構造を持つ織物から作られることができ、好ましくは、少なくとも二重層状構造を用いて作られる。織物は、縦方向と称されることができる第一の方向において、糸から編まれることができ、横方向と称されることができる第２の方向において、整列配置される糸を用いて織り交ぜられることが可能である。横方向における糸は、縦方向における糸を横断する。縦糸と横糸方向は、互いに対して横断するものであり、好ましくは実質的に互いに直角である。
【００３３】
用語「縦糸」及び「横糸」は単に、繊維シートにおける縦方向及び横方向に関して用いられ、織機上の繊維を加工する方法に対する何らかの限定を課すために用いられるものではないことを理解されたい。
【００３４】
用語「多層縦糸」は、縦糸の複数の層が単一の繊維部分を編むのに用いられるような繊維を含むものとして用いられる。これは、分離して編まれた部分から形成される多層繊維とは異なるものである。
【００３５】
光電子工学デバイスは、一方又は両方の表面上の繊維に取り付けられることが可能である。斯かるデバイスは、繊維に接続される必要がある、２つ、３つ、４つ又はそれ以上の電極を持つことができる。１色、２色及び３色発光ダイオード（ＬＥＤ）に対する例示的な実施形態が与えられることになる。しかしながら、概説される原理は、他のタイプのデバイスに対して適切であることが意図される。発光モジュールの他に、例えばセンサ、アクチュエータ、ドライバ集積回路といった任意の適切な種類の電子部品が付けられることが可能である。２色及び３色ＬＥＤの場合、共用陽極が指定される(indicate)ことになる。
【００３６】
異なるタイプの糸及び／又は繊維が用いられることが可能である。例えば、電気的に導電性のある糸及び電気的に非導電性の糸が使用される。両方のタイプの糸は、単一又は多繊維タイプでもよい。多繊維糸を用いる場合、浮遊単一フィラメント糸間での電気的接続が原因による隣接する多フィラメント糸間での短絡を防止するために、糸においてある程度のねじれが必要な場合がある。本発明に基づく導電性の糸は、少なくとも糸の外部表面上の電気伝導性物質を持つものとして規定される。斯かる糸は、様々なタイプの構造とすることができ、例えば別の物質の内部核を持つことができる。その内部核は、非導電性物質を含むことができる。本発明による非導電性糸は、少なくとも非電導性外部表面を持つものとして定義され、全体が非導電性物質から作られることが可能であるか、又は導電性核を持つことができる。
【００３７】
導電性及び非導電性糸に対して、任意の適切な繊維又は糸が使用されることができる。例えば、導電性糸として、銅、ステンレス鋼又は銀メッキのポリアミド繊維が使用されることができる。非導電性糸として、ナイロン、綿又はポリエステル繊維が使用されることができる。
【００３８】
例えばＬＥＤが単色であるか多色（２色／３色）タイプであるかどうかに関係なく、使用されるＬＥＤのタイプに基づき、多くの織り構造が可能である。織り構造における層数は、使用される糸のタイプ及び等級、並びに織りのピッチに依存する場合がある。好ましくは、縦方向における層数は２であるが、本発明の範囲から逸脱することなく、より多くの層が使用されることができる。図示された実施形態においては、横方向において１つの層だけが示される。しかし、本発明の範囲から逸脱することなく１つ以上の層が使用されることができる。
【００３９】
図１を参照すると、二重層あや織に基づかれる片面マトリクスの概略的な断面表示の形で、例示的な実施形態が示される。「片面マトリクス」という用語は、電気部品の接続のための導電性縦糸及び横糸が繊維の１つの表面にだけ現れることを示すのに使用される。これは、陽極電極接続１６及び陰極電極接続１７で編み構造の一面に、単色ＬＥＤを取付けるのに適している。デザイン選択に基づき、「陽極」及び「陰極」の接続呼称が逆転されることができることを理解されたい。
【００４０】
図１及び後続の図において、縦糸は、断面における円で示される。ここで、塗りつぶされた円は電気導電性糸１１を示し、塗りつぶされていない円は非導電性糸１２を示す。実線１３は、縦糸に対して横に伸びる導電性横糸を示す。図１において、縦糸の第１層１４だけが、導電性糸１１を含む。縦糸の第２層１５は、非導電性縦糸だけを含む。横糸は、複数の導電性横糸１３及び非導電性横糸（図示省略）から構成されることができる。導電性横糸１３の数ｎは通常、縦方向において分離してアドレス指定可能な線の数を決定する。導電性縦糸１１の数ｍは通常、横方向において分離してアドレス指定可能な線の数を決定する。この例では従って、図１に示される反復織目パターンにより作成される繊維領域内で、ｎ＊ｍ個までの分離してアドレス指定可能な単色ＬＥＤが、繊維に付けられることが可能である。
【００４１】
図１に示される織りは、第１の面１８上の１ｘ３あや織及び第２の面１９上の３ｘ１あや織である。各導電性縦糸１１は、同じ層において、少なくとも２つの隣接した非導電性縦糸１２を持つ。隣接導電性縦糸１１と交錯型導電性横糸１３と間の電気的接触は、非導電性縦糸１２を間に挟むことにより防止される。この例では、隣接導電性縦糸１１は、少なくとも３つの非導電性縦糸１２により分離される。隣接導電性横糸の間で電気的接触がないよう、各導電性横糸１３は少なくとも２つの隣接する平行の非電導性横糸を持つ。
【００４２】
本願明細書に記載されているすべての実施形態及び例における非電導性横糸が、導電及び非電導性縦糸の周辺及びそれらの間で編まれるような導電性横糸と必ずしも同じ経路をたどるというわけではないことを理解されたい。
【００４３】
図１における電気導電横糸１３は、非電導性縦糸の間の縦糸を横断する。この横断は、第２の縦糸層１５及び第１の縦糸層１４を抜ける多層縦糸を通る繊維１９の１つの面から繊維の反対側の面１８までの横糸１３の移行を含む。
【００４４】
繊維を通る導電性横糸の２つの連続した横断が、ループ２０を形成する。その繊維では、導電性横糸１３が、多層縦糸の少なくとも１つの層、好ましくはすべての層における少なくとも１つの縦糸の周囲を通過する。図１において、ループ２０は、縦糸の第１及び第２の層１４、１５において、合計２つの非導電性縦糸を含む。ループ２０は、繊維の第１の面１８上に陽極電気的接続１６を形成する。その一方で、導電性縦糸１１の近接部分１７は、陰極電気的接続を形成する。
【００４５】
図２及び３は、単色ＬＥＤ取り付けを可能にする両面マトリクスのための織り構造の２つの例を示す。「複列形マトリクス」という表現は、電気部品の接続のための導電性縦糸及び横糸が繊維の両方の面に現れることを示すために使用される。
【００４６】
交錯している導電性横糸２３と共に、これらの例は、縦糸２４の第１の層と縦糸２５の第２の層とを含む２重層編みの形式でもある。これらの両面マトリクス配置において、縦糸の第１の層２４及び第２の層２５は両方、導電性縦糸２１を含む。これらの導電性縦糸２１は、多層縦糸の第１の層２４及び第２の層２５それぞれにおける繊維の交互面２６、２７にも配置される。この例では、多層縦糸は、２つの層だけを持つ。図３における織り構造は、中心面、即ち縦糸の第１の層２４と第２の層２５との間の面において、導電性横糸３３により形成されるフロート３１も含む。これらのフロート３１は、多層縦糸の異なる平面において、２つの隣接縦糸の間に横糸３３を通すことにより形成される。この場合、それらの機能は、導電性横糸３３が１つの横断から連続する横断へと交差する縦糸の数を減らすことにより編み構造の完全性を改善することである。
【００４７】
編み繊維マトリクスに多色ＬＥＤの接続を可能にするために、追加の導電性縦糸が、各陰極に対して１つ必要とされる。この場合も、隣接導電性縦糸間で、及び導電性縦糸と交錯型導電性横糸との間で電気的接触がないよう、非導電性縦糸を少なくとも１つ間に配置することにより隣接導電性縦糸が分離される。隣接導電性横糸の間で電気的接触がないよう、隣接導電性横糸も、少なくとも１つの非導電性横糸により分離される。
【００４８】
ＬＥＤといった電子部品に加えて、この繊維は、電子部品との遠隔通信のため、電子部品と電気的に接続される編まれた導電性糸を有する無線アンテナを組み込むことができる。アンテナは、電気導電縦糸及び横糸を有するコイルの形式とすることができる。遠隔通信は、駆動回路を介して可能にされることができる。遠隔制御装置との通信リンクを提供するために、アンテナが使用されることができる。斯かる遠隔制御装置は、アンテナに信号を与えることができる。その後、この信号は駆動回路により他の信号に変換されることができる。その後、この他の信号が、繊維に付けられる電子部品を動かす。代替的に、又は、追加的に、そのアンテナは、繊維から遠隔制御装置へと信号を送ることができる。斯かる送信信号は、例えば温度センサ、光センサ又は他のセンサといった繊維に付けられる１つ又は複数の電子部品から駆動回路により受信される情報を有することができる。上述されるような繊維における電子回路を編むこと以外の、当業者によく知られている技術が使用されることができるとも理解されたい。斯かる技術は、例えば、刺繍、印刷及び物質に電気メッキを施して、その後その上に回路をエッチングすることを利用することを含むことができる。
【００４９】
有益である所定の皮膚温度範囲は、例えば摂氏約３７〜４１度（℃）である。これは、約３７．５度の通常の体核温度と一般に相関する。皮膚表面の温度は、生体構造の部位ごとに変化するが、概略的に摂氏３２〜３５度である。ここでの仮定は、ＩＲ放射線が体を貫いて通ると体温が上昇させられるということである。これは、一定の体温を得るために、所定の温度が２、３度高くあるべきであるが、痛み閾値レベルに近いほど高くあるべきでないことを意味する。痛み閾値は通常、摂氏４１〜４５度の間で、人毎に変化する場合がある。体は、その環境に対して、熱を放射及び伝導させ、温度を低下させる。ＩＲ放射線源は、この損失を補償しなければならず、閉ループシステムにおいて、体温を一定に保たなければならない。これは、例えばＰＩＤ（比例・積分・微分）制御システムを用いて、センサ温度と実際の温度との差から、加熱デバイスを調整するための信号を生成する温度センサを備えるフィードバックループを使用して達成されることができる。斯かるシステムは、非常によく知られている。本発明は、２つのモードのうちの１つにおいて使用されることができる。まず、本発明は、患者の中心温度を初めに上昇させるのに使用されることができる。この場合、制御手段を用いて、皮膚温は、約３７〜４１度の範囲、又はより狭く３９〜４１度の範囲に設定されることができる。このモードにおいて、環境と患者との間で全体として正のエネルギー移動が起こることになり、結果として患者の中心温度の上昇をもたらす。一旦患者の中心温度が許容可能なレベルに達すると、本発明が、第２モードにおいて使用されることができる。第２のモードは、患者の中心温度を維持するために使用される。この場合、制御手段を使用して、皮膚温が例えば３７．５℃にセットされることができ、結果として患者と環境との間で全体としておよそ０のエネルギー移動を生じさせる。この場合、放射加熱装置は、患者の熱損失を補償するだけである。
【００５０】
温度感知手段はよく知られていて、例えば、耳温度計デバイス、ＩＲ感知デバイス、皮膚接触温度センサ等を含む。
【００５１】
本発明が、特定の実施形態を参照して説明されてきたが、当業者であれば、本発明の精神及び範囲から逸脱することなく、多くの修正、強化及び／又は変化が実現されることができる点を理解されるであろう。従って、本発明が請求項及びその均等物の範囲によりだけ制限されることが明白に意図される。
【図１】
2010504134.tif 000003
【図２】
2010504134.tif 000004
【図３】
2010504134.tif 000005
【図４】
2010504134.tif 000006
【国際調査報告】
2010504134.tif 000007
2010504134.tif 000008
2010504134.tif 000009
2010504134.tif 000010